(57)【要約】【課題】内部抵抗を低減できると共に、基板に実装しやすく、かつ封口性がよく部品点数の少ないコンデンサを提供することを目的とする。【解決手段】コンデンサ素子１を駆動用電解液と共に収納した有底筒状のケース２と、２つの外部接続端子３ａ，３ｂを有しケース２の上面開口部を封止する封口板４と、コンデンサ素子１の電極の上下端面にそれぞれ接続された集電板５ａ，５ｂと、コンデンサ素子１の下面に位置する集電板５ａと接続されかつコンデンサ素子１の中心部を貫通した導電性材料からなるリードコア６とを備え、リードコア６の上端、コンデンサ素子１の上端面に接続された集電板５ｂをそれぞれ外部接続端子３ａ，３ｂと直接接続させ、これにより内部抵抗を低減できると共に、一般に使用されている基板に実装しやすく、封口性がよく、部品点数を削減できるうえに、製造時の作業効率も向上させることができる。【選択図】図１
2005216880.tif 000002
【特許請求の範囲】
【請求項１】
平板状の一対の電極の間にセパレータを介在させかつ各々の電極の端面が互いに逆方向に表出するようにして巻回することにより構成された中空状のコンデンサ素子と、前記コンデンサ素子を駆動用電解液と共に収納した有底筒状のケースと、２つの外部接続端子を有し前記ケースの上面開口部を封止する封口板と、前記コンデンサ素子の電極の上下端面にそれぞれ接続された集電板と、前記コンデンサ素子の下面に位置する集電板と接続されかつコンデンサ素子の中心部を貫通した導電性材料からなるリードコアとを備え、前記リードコアの上端を前記封口板の一方の外部接続端子と直接接続し、また前記コンデンサ素子の上端面に接続された集電板を封口板の他方の外部接続端子と直接接続したコンデンサ。
【請求項２】
コンデンサ素子の上端面に接続された集電板に外部接続端子との接続部を設けた請求項１に記載のコンデンサ。
【請求項３】
リードコアと接続するために、前記リードコア方向に曲げられた接続部を有する外部接続端子を備えた請求項１に記載のコンデンサ。
【請求項４】
コンデンサ素子の下面に位置する集電板に弾性支持片を設けた請求項１に記載のコンデンサ。
【請求項５】
外部接続端子と接続させるため、コンデンサ素子の上端面に接続された集電板に切り起し片を設けた請求項１に記載のコンデンサ。
【発明の詳細な説明】
【技術分野】
【０００１】
本発明は各種電子機器、自動車等に使用される大容量のコンデンサに関するものである。
【背景技術】
【０００２】
従来、大容量のコンデンサにおいて、陰極、陽極を同一方向から取り出し、かつ内部抵抗を低減させることを目的として、コンデンサ素子の中央を貫通する金属棒によってコンデンサ素子の下面に表出する電極の端面と外部端子部を直接通電させた構成は図６のようなものがあった（例えば、特許文献１参照）。
【０００３】
図６に示すように、平板状の一対の電極の間にセパレータを介在させかつ各々の電極の端面が互いに逆方向に表出するようにして巻回することにより構成された中空状のコンデンサ素子５１と、このコンデンサ素子５１を駆動用電解液と共に収納した有底筒状のケース５２と、このケース５２の上面開口部を封止する封口板５３とを備え、前記コンデンサ素子５１において、逆方向に表出する電極の端面にそれぞれ接続されかつ上面に位置する封口板５３に向かって延びる導電性材料からなる同軸の棒状集電端子５４，５５にそれぞれ外部接続端子部５４ａ，５５ａを設けた構成で、リード線等に代え金属棒からなる集電端子を用いることにより内部抵抗を減少させることができるものである。
【特許文献１】特開２０００−２６０６６４号公報
【発明の開示】
【発明が解決しようとする課題】
【０００４】
しかしながら、前記従来の大容量コンデンサの構成では、陰極と陽極端子が同軸になっているため、コンデンサを一般に陰、陽端子が別々になっている基板等に実装する際に不便であった。また、駆動用電解液の漏れを防ぐため、封口板にある貫通孔にＯリング等を使用して封口性を向上させなければならないので、部品点数が多くなりコストが増大し、生産工程が増えるという課題を有していた。
【０００５】
そこで、本発明は前記従来の課題を解決するもので、一般に使用されている基板に実装しやすいうえに、内部抵抗を減少させることができ、かつ封口性がよく、部品点数の少ないコンデンサを提供することを目的とする。
【課題を解決するための手段】
【０００６】
前記目的を達成するために本発明のコンデンサは、平板状の一対の電極の間にセパレータを介在させかつ各々の電極の端面が互いに逆方向に表出するようにして巻回することにより構成された中空状のコンデンサ素子と、前記コンデンサ素子を駆動用電解液と共に収納した有底筒状のケースと、２つの外部接続端子を有し前記ケースの上面開口部を封止する封口板と、前記コンデンサ素子の電極の上下端面にそれぞれ接続された集電板と、前記コンデンサ素子の下面に位置する集電板と接続されかつコンデンサ素子の中心部を貫通した導電性材料からなるリードコアとを備え、前記リードコアの上端を前記封口板の一方の外部接続端子と直接接続し、また前記コンデンサ素子の上端面に接続された集電板を封口板の他方の外部接続端子と直接接続したものである。
【０００７】
このような構成により、一般に使用されている基板に実装しやすく、また封口板を外部接続端子と共に成形した後に前記外部接続端子とリードコアを直接接続させることで、内部抵抗を低減できると共に、封口性がよく、部品点数を削減することができるうえに、製造時の作業効率も向上させることができる。
【発明の効果】
【０００８】
本発明のコンデンサは、一般に使用されている基板に実装しやすく、また封口板を外部接続端子と共に成形した後に前記外部接続端子とリードコアを直接接続させることで、内部抵抗を低減できると共に、封口性がよく、生産工程においても部品点数を削減することができるうえに、作業効率も向上させることができる。
【発明を実施するための最良の形態】
【０００９】
本発明の実施の形態は、平板状の一対の電極の間にセパレータを介在させかつ各々の電極の端面が互いに逆方向に表出するようにして巻回することにより構成された中空状のコンデンサ素子と、前記コンデンサ素子を駆動用電解液と共に収納した有底筒状のケースと、２つの外部接続端子を有し前記ケースの上面開口部を封止する封口板と、前記コンデンサ素子の電極の上下端面にそれぞれ接続された集電板と、前記コンデンサ素子の下面に位置する集電板と接続されかつコンデンサ素子の中心部を貫通した導電性材料からなるリードコアとを備え、前記リードコアの上端を前記封口板の一方の外部接続端子と接続し、また前記コンデンサ素子の上端面に接続された集電板を封口板の他方の外部接続端子と接続したコンデンサにおいて、陰極、陽極を同一方向から取り出しているので、一般に使用されている基板に実装しやすく、また封口板を外部接続端子と共に成形した後に前記外部接続端子とリードコアを直接接続させることで、内部抵抗を低減できると共に、封口性がよく、生産性においても部品点数を削減することができるうえに、作業効率の向上が図れる。
【００１０】
そして、コンデンサ素子の上端面に接続された集電板に外部接続端子との接続部を設けたことにより、接続する際の位置検出の作業を不要とすることができるため、生産性の向上を図ることができるという作用効果を有する。
【００１１】
また、リードコアと接続するために、前記リードコア方向に曲げられた接続部を有する外部接続端子を備えたことにより、外部接続端子のリードコアと接続する部分が突出しているため、その接続部の検出が容易になり、位置合わせが行い易く、より確実な接続を作業効率よく行うことができるため、コンデンサの製造に際して、接続の信頼性向上及び生産性向上を図ることができる。
【００１２】
さらに、コンデンサ素子の下面に位置する集電板に弾性支持片を設けたことにより、外部接続端子と接続する際に、長さ方向における寸法のばらつきを吸収することができ、接続の信頼性を向上させることができると共に、実用する際に外力による内部のコンデンサ素子の振動を吸収する効果も期待できる。
【００１３】
また、外部接続端子と接続させるため、コンデンサ素子の上端面に接続された集電板に切り起し片を設けたことにより、接続部の検出が容易になり位置合わせが行い易く、接続作業の効率を向上させることができる。さらに、長さ方向の寸法のばらつきを吸収することができるため、接続の信頼性を向上させることができ、コンデンサの生産工程における接続の信頼性及び生産性の向上を図ることができる。
【実施例】
【００１４】
以下、本発明の実施例について、添付図面を参照して説明する。
【００１５】
（実施例１）
図１は、本発明の第１の実施例におけるコンデンサを示すものである。
【００１６】
図１において、コンデンサ素子１は平板状の一対の電極の間にセパレータを介在させかつ各々の電極の端面が互いに逆方向に表出するようにして巻回することにより構成された中空の筒状のものである。この平板状の一対の電極は、アルミニウム等の金属箔上に活性炭と接着剤と導電剤を少なくとも含む混合物からなる分極性電極層からなるものである。
【００１７】
前記コンデンサ素子１を駆動用電解液と共に有底筒状のケース２に収納し、このケース２の上面開口部には陽極と陰極の外部接続端子３ａ，３ｂを備えた封口板４により封止する。
【００１８】
前記コンデンサ素子１の上下に突出する電極の端面には、金属溶射、溶接、ろう接、導電性接着剤等の少なくとも一つによりそれぞれ金属板からなる集電板５ａ，５ｂが接合されている。
【００１９】
そして、前記コンデンサ素子１の上に突出する電極の端面とそれに接続された集電板５ｂとリードコア６との間に絶縁部１１を設けてあり、この絶縁部１１は少なくともリードコア６と接する部分をゴム状弾性部材で構成しても良い。
【００２０】
さらに、導電性材料からなるリードコア６を前記コンデンサ素子１の下面に位置する集電板５ａと電気溶接等により接続させ、かつコンデンサ素子１の中心部を貫通させてある。
【００２１】
前記リードコア６の上端を封口板４の一方の外部接続端子３ａと直接接続し、またコンデンサ素子１の上端面に接続された集電板５ｂを封口板４の他方の外部接続端子３ｂと直接接続させてある。
【００２２】
また、コンデンサ素子１の上面に表出する電極とリードコア６とは互いに異なる電極であるので、絶縁体１１を設けることにより、コンデンサ素子１の上面に表出する電極とリードコア６とを絶縁させている。
【００２３】
以上のように構成されたコンデンサにおいて、コンデンサ素子１の電極の端面部分を集電板５ａ，５ｂの面部に沿わせた状態で接続できるため、接続面積の確保ができ、接続の信頼性を向上させることができる。
【００２４】
また、リードコア６をコンデンサ素子１の中心部を貫通させることにより、従来リード線を通していたコンデンサ素子周りのスペースが不要で、その上コンデンサ素子１の中心部のデッドスペースを有効利用し、同じ外部体積のコンデンサに比べて電極の巻数が増やせるので、コンデンサの容量を向上させることができる。
【００２５】
そして、封口板４に備えた外部接続端子３ａ，３ｂをそれぞれ集電板５ｂ、リードコア６の上端と直接接続した構成としているため、一対の電極の体積抵抗を低減させることができる。さらに、陽極と陰極の外部接続端子３ａ，３ｂの両方を同一方向から取り出すことができるので、一般に使用されている基板に実装しやすい。
【００２６】
また、外部接続端子３ａ，３ｂを封口板４と一体に成形しているため、封口性がよく、生産工程においても部品点数を削減することができるうえに、作業効率の向上が図れる。
【００２７】
（実施例２）
図２は本発明の第２の実施例におけるコンデンサを示すものである。
【００２８】
本実施例２では前記実施例１と同様の構成において、コンデンサ素子１の上端面に接続された集電板５ｂに外部接続端子３ｂと接続するための接続部７を設けたものである。
【００２９】
これにより、接続する際の位置の検出作業が不要となるため、生産性の向上を図ることができるという作用効果を有する。
【００３０】
（実施例３）
図３は本発明の第３の実施例におけるコンデンサを示すものである。
【００３１】
本実施例３では前記実施例１と同様の構成において、リードコア６と接続するため、外部接続端子３ａに前記リードコア６に向かって折り曲げて形成した接続部８を備えたものである。
【００３２】
この構成により、外部接続端子３ａのリードコア６と接続する部分が突出しているため、その接続部８の検出が容易になり、位置合わせが行い易く、また軸方向の傾きやずれがないような接続を確保でき、より確実な接続を作業効率よく行うことができるため、コンデンサの製造に際して、接続の信頼性向上及び生産性向上を図ることができる。
【００３３】
（実施例４）
図４は本発明の第４の実施例におけるコンデンサを示すものである。
【００３４】
本実施例４では前記実施例１と同様の構成において、コンデンサ素子１の下面に位置する集電板５ａに弾性支持片９を設けたことにより、外部接続端子３ａ，３ｂと接続する際に、長さ方向における寸法のばらつきを吸収することができ、接続の信頼性を向上させることができると共に、実用する際に外力による内部のコンデンサ素子１の振動を吸収する効果も期待できる。
【００３５】
（実施例５）
図５は本発明の第５の実施例におけるコンデンサを示すものである。
【００３６】
本実施例５では前記実施例１と同様の構成において、外部接続端子３ｂと接続させるため、コンデンサ素子１の上端面に接続された集電板５ｂに切り起し片１０を設けたことにより、接続部の検出が容易になり位置合わせが行い易く、接続作業の効率を向上させることができる。さらに、長さ方向の寸法のばらつきを吸収することができるため、接続の信頼性を向上させることができ、コンデンサの生産工程における接続の信頼性及び生産性の向上を図ることができる。
【産業上の利用可能性】
【００３７】
以上のように本発明に係るコンデンサは、外部接続端子が別々に設けられているため、一般に使用されている基板に実装しやすく、また封口板を外部接続端子と共に成形した後に前記外部接続端子とリードコアを直接接続させることで、内部抵抗を低減できると共に、封口性がよく、部品点数を削減することができるうえに、製造時の作業効率も向上させることができるところから、各種大容量コンデンサを搭載した電子機器、自動車等への利用が可能である。
【図面の簡単な説明】
【００３８】
【図１】本発明の実施例１におけるコンデンサの構成を示す断面図
【図２】本発明の実施例２におけるコンデンサの構成を示す断面図
【図３】本発明の実施例３におけるコンデンサの構成を示す断面図
【図４】本発明の実施例４におけるコンデンサの構成を示す断面図
【図５】本発明の実施例５におけるコンデンサの構成を示す断面図
【図６】従来のコンデンサの構成を示す断面図
【符号の説明】
【００３９】
１  コンデンサ素子
２  ケース
３ａ，３ｂ  外部接続端子
４  封口板
５ａ，５ｂ  集電板
６  リードコア
７  接続部
８  接続部
９  支持片
１０  切り起し片
１１  絶縁部
【図１】
2005216880.tif 000003
【図２】
2005216880.tif 000004
【図３】
2005216880.tif 000005
【図４】
2005216880.tif 000006
【図５】
2005216880.tif 000007
【図６】
2005216880.tif 000008